(57)【特許請求の範囲】
【請求項１】
被収納物を収納する角柱状の収納容器の対向するそれぞれの面における同一方向の対角線に略沿って斜状に形成される斜面と、
前記斜面に設けられ、前記被収納物を保持して位置決めする収納部と、
前記収納部に対して前記斜面の一端縁を中心に回転し、前記収納容器が前記収納部と二分して分割するように形成される蓋部と、
前記蓋部の前記収納部に対向する対向面側に前記被収納物とは異なる被収納体を収納する収納部分と、
前記蓋部の閉止時における前記収納部分に収納される前記被収納体に対向して形成されるストッパとを有し、
前記被収納物を前記斜面に沿ってスライドさせることより着脱可能とする収納容器。
【請求項２】
前記収納部の前記斜面の裏側に前記被収納物に関する付属物を収納する収納室を設ける請求項１に記載の収納容器。
【請求項３】
前記蓋部の閉止時において前記収納部分の前記被収納体と前記収納部の前記被収納物との間隔を広くする請求項１又は２に記載の収納容器。
【請求項４】
前記収納部に収納される前記被収納物と前記収納部分に収納される前記被収納体との間に前記被収納物に関する情報が記載される書類を介在させる請求項１乃至３のいずれか１項に記載の収納容器。
【請求項５】
前記対向面に表示部を設ける請求項１乃至４のいずれか１項に記載の収納容器。
【請求項６】
前記対向面を前記斜面に略対応するように形成し、
前記対向面の裏側に前記被収納物に関する付属物を収容する収容室を設ける請求項３乃至５のいずれか１項に記載の収納容器。
【請求項７】
前記蓋部を前記収納部に係止する係止手段を、前記収納容器の側面に設ける請求項１乃至６のいずれか１項に記載の収納容器。
【請求項８】
前記収納容器の展開状態において一方の面にのみ印刷処理を行い、
前記収納部または前記蓋部を組み立てる場合に前記印刷処理が施された一方の面の印刷部分が前記収納容器の外側または前記蓋部の開放時における前記斜面または前記対向面に位置する請求項３乃至７のいずれか１項に記載の収納容器。
【請求項９】
前記収納部または前記蓋部は前記収納容器の展開状態から前記収納部または前記蓋部を構成する辺同志を折り曲げることにより組み立てる請求項１乃至８のいずれか１項に記載の収納容器。
【請求項１０】
前記収納容器の展開状態において前記収納部または前記蓋部を構成する前記辺全体が略矩形状をなす請求項１乃至９のいずれか１項に記載の収納容器。
【請求項１１】
前記収納部を略楔形とする請求項１乃至１０のいずれか１項に記載の収納容器。
【発明の詳細な説明】
【０００１】
【発明の属する技術分野】
この発明は、例えばヘッドホーンステレオ等の製品を収納する収納容器に関する。
【０００２】
【従来の技術】
例えばヘッドホーンステレオ等の製品を販売する際には、一般に製品のみを店頭等のショーウインドに展示している。そして、実際に製品が販売される際に、箱形の収納容器に製品を収納しこの状態で取引が行われている。
【０００３】
収納容器は例えば紙（段ボール）等で成形されており、その展開状態ではシート状となっている。そして、収納容器を構成する辺を折曲げると共に、辺同志を噛み合わせて挟み込むことにより接合し組み立てる。また、収納容器の側面を形成するには、収納容器ののり代にのり（接着剤）を塗布して接合させている。
【０００４】
このように、展開状態から組み立てた収納容器内に製品を収納し、梱包が完了する。この梱包状態では例えば上下に仕切きる（いわゆる中蓋としての）仕切り板が形成され、その仕切り板の上部にヘッドホーンステレオ本体が収納されかつ仕切り板の下部に付属物が収納されている。
【０００５】
また、仕切り板には摘みが突設されており、この摘みを引き上げることより仕切り板が開放されるようになっている。即ち、仕切り板を開放することにより、ヘッドホーンステレオ本体を収納容器外へ押し出すことができる。さらに、収納容器の開口部は、収納容器を小型にするために、ヘッドホーンステレオ本体の平面形状よりも若干だけ大きくなっている。
【０００６】
【発明が解決しようとする課題】
ところで、上述したように、収納容器内に収納されたヘッドホーンステレオ本体は、仕切り板の上部に平面的に配置されている。そのため、ヘッドホーンステレオ本体を収納容器から取り出すには、仕切り板を開放させて押し出させるか，または収納容器の開口部を指等で押し広げて行う。従って、従来の収納容器では、ヘッドホーンステレオ本体の取出しが煩雑となり、使い勝手が悪かった。
【０００７】
また、ヘッドホーンステレオ本体が仕切り板の上部に平面的に配置されているので、ヘッドホーンステレオ本体の全体的な外観即ち立体感を認識するのが困難であった。
【０００８】
さらに、展開状態から箱形の収納容器を組み立てるには、接着剤を貼付する貼付工程が必要になると共に収納容器の展開状態においては全体が略矩形状となっていなかった。即ち、紙を切断する部分が多く紙の無駄となり、結果として収納容器の製造コストが増大していた。また、従来の収納容器では、ヘッドホーンステレオ本体を容易に取り出す手段としまたはヘッドホーンステレオ本体と付属物との接触を回避するために、仕切り板を設けている。従って、仕切り板を形成する紙が余分に必要となり、経済的ではなかった。
【０００９】
さらに、製品の展示状態では、収納容器自体が展示品として利用されておらず、かつ製品がどうような収納容器内に収納されているのかが不明であった。即ち、収納容器は一般に販売時のみという意識があり、その開封後はゴミとして使い捨てられていた。従って、従来の収納容器は有効利用されておらず、資源の無駄となっていた。また、従来の収納容器を組立てるには、辺同志を噛み合わせてて接合させていたので、収納容器の組立てが困難であった。
【００１０】
そこで、本発明は上記事実を考慮し、被収納物の着脱が容易でかつディスプレイにも貢献する製造容易な収納容器を提供することにある。
【００１１】
【課題を解決するための手段】
本発明の請求項１による収納容器は、被収納物を収納する角柱状の収納容器の対向するそれぞれの面における同一方向の対角線に略沿って斜状に形成される斜面と、斜面に設けられ、被収納物を保持して位置決めする収納部と、収納部に対して斜面の一端縁を中心に回転し、収納容器が収納部と二分して分割するように形成される蓋部と、蓋部の収納部に対向する対向面側に被収納物とは異なる被収納体を収納する収納部分と、蓋部の閉止時における収納部分に収納される被収納体に対向して形成されるストッパとを有し、被収納物を斜面に沿ってスライドさせることより着脱可能とするものである。
【００１４】
本発明の請求項２による収納容器は、請求項１に係る発明において、収納部の斜面の裏側に被収納物に関する付属物を収納する収納室を設けるものである。
【００１５】
本発明の請求項３による収納容器は、請求項１又は２に係る発明において、蓋部の閉止時において前記収納部分の前記被収納体と前記収納部の前記被収納物との間隔を広くするものである。
【００１６】
本発明の請求項４による収納容器は、請求項１乃至３のいずれか１項に係る発明において、収納部に収納される被収納物と収納部分に収納される被収納体との間に被収納物に関する情報が記載される書類を介在させるものである。
【００１７】
本発明の請求項５による収納容器は、請求項１乃至４のいずれか１項に係る発明において、対向面に表示部を設けるものである。
【００１８】
本発明の請求項６による収納容器は、請求項３乃至５のいずれか１項に係る発明において、対向面を斜面に略対応するように形成し、対向面の裏側に被収納物に関する付属物を収容する収容室を設けるものである。
【００１９】
本発明の請求項７による収納容器は、請求項１乃至６のいずれか１項に係る発明において、蓋部を収納部に係止する係止手段を、収納容器の側面に設けるものである。
【００２０】
本発明の請求項８による収納容器は、請求項３乃至７のいずれか１項に係る発明において、収納容器の展開状態において一方の面にのみ印刷処理を行い、収納部または蓋部を組み立てる場合に印刷処理が施された一方の面の印刷部分が収納容器の外側または蓋部の開放時における斜面または対向面に位置するものである。
【００２１】
本発明の請求項９による収納容器は、請求項１乃至８のいずれか１項に係る発明において、収納部または蓋部は収納容器の展開状態から収納部または蓋部を構成する辺同志を折り曲げることにより組み立てるものである。
【００２２】
本発明の請求項１０による収納容器は、請求項１乃至９のいずれか１項に係る発明において、収納容器の展開状態において収納部または蓋部を構成する辺全体が略矩形状をなすものである。
【００２３】
本発明の請求項１１による収納容器は、請求項１乃至１０のいずれか１項に係る発明において、収納部を略楔形とするものである。
【００２６】
【発明の実施の形態】
図１〜図１１には、本発明の一実施形態に係る収納容器が示されている。この収納容器は、被収納物としてのヘッドホーンステレオ本体を収納するものである。なお、図１は本実施形態に係る収納容器の全体斜視図、図２は蓋部を開放した状態の全体斜視図、図３は収納部の断面図、図４は収納部及び蓋部に被収納物及び被収納体が収納されていない状態の全体斜視図である。また、図中矢印Ｂは後側を、矢印Ｒは右側を、矢印ＵＰは上側を示す。
【００２７】
図１及び図１１に示すように、収納容器１０は、紙（段ボール等）で一体成形されており、角柱状の箱形となっている。図２及び図４に示すように、収納容器１０は略楔形に形成された収納部本体１２と蓋部１４とで構成されており、収納部本体１２と蓋部１４とは図１１に示すヒンジ部１６を介して連結されている。
【００２８】
ヒンジ部１６は、収納部本体１２の左側辺１２Ｄに形成されており、左側辺１２Ｄにおける後上端から前下端へと向かう対角線に略沿うような斜状となっている。即ち、図４に示すように、蓋部１４は、収納部本体１２に対し左開きに開閉するものであり、ヒンジ部１６を中心にして回転し開閉する。なお、本実施形態では蓋部１４が左開きするように構成されているものであるが、本発明においては右開きするように構成しても良い。
【００２９】
収納部本体１２の表面側には収納部１８が形成されており、この収納部１８は収納容器１０の左右側辺１２Ｄ（図１１参照），１４Ａにおける対角線（ヒンジ部１６を形成する対角線と同様）に略沿って斜状に形成される載置辺２０（図３参照）と，この載置辺２０から突設される左右一対のストッパ辺２２とで構成されている。
【００３０】
ストッパ辺２２は、収納部本体１２の側辺１２Ａ，１２Ｄに沿って突設される基辺２２Ａと，この基辺２２Ａの略中央に形成されかつ載置辺２０の表面側に位置する載置面２０Ａに対向するように折曲げられるストッパ２２Ｂと，基辺２２Ａの先端に形成されかつ収納部本体１２の側辺１２Ａ，１２Ｄ側に折曲げられる支持辺２２Ｃとで一体形成されている。
【００３１】
ストッパ２２Ｂは載置面２０Ａに載置されるヘッドホーンステレオ本体８０の前面に位置し、図３に示すようにストッパ２２Ｂと載置辺２０とでヘッドホーンステレオ本体８０を挟み込む状態にする。即ち、収納部１８は、その上部がヘッドホーンステレオ本体８０を挿入または取り出す挿入口１８Ａとなる。
【００３２】
なお、図２及び図４に示すように、ストッパ２２Ｂはストッパ辺２２の略中央に位置しており、ストッパ２２Ｂの表面には「ＳＬＩＤＥ  ＵＰ」の文字４３が表示４３されている。支持辺２２Ｃは、基辺２２Ａに対し略Ｌ字状に折曲げ形成されており、支持辺２２Ｃの先端辺２２Ｄが側辺１２Ａ，１２Ｄに当接しストッパ辺２２を支持する。
【００３３】
また、ストッパ２２Ｂと載置面２０Ａとの間隔（長さ）は、ヘッドホーンステレオ本体８０の厚みよりも若干だけ長くなるように設定されている。また、ストッパ２２の基辺２２Ａ同志の間隔はヘッドホーンステレオ本体８０の短手方向の長さよりも若干だけ長くなるように設定されている。さらに、図２に示すように、載置面２０Ａの上端部分はヘッドホーンステレオ本体８０が収納部１８に収納された状態でも載置面２０Ａ上部が視認できるようなスペースがあり、この載置面２０Ａ上部にはヘッドホーンステレオ本体８０の番号表示４４が記載されている。
【００３４】
図３に示すように、収納部本体１２の載置面２０Ａ裏側には略三角形状の収納室２８が形成され、この収納室２８にヘッドホーンステレオ本体８０に関する付属物（例えば、ヘッドホーン８２，リモートコントローラ８４等）が収納される。なお、載置面２０Ａの下側には収納部本体１２の下辺１２Ｃが折返され、この下辺１２Ｃの載置面２０Ａ側には「付属品」の表示４２（図４参照）が印刷されている。
【００３５】
即ち、図２に示すようにヘッドホーンステレオ本体８０が収納部１８に収納されている場合には表示４２がヘッドホーンステレオ本体８０の陰となり隠れ、一方図４に示すようにヘッドホーンステレオ本体８０が収納部１８に収納されていない場合には表示４２が現れるようになっている。そのため、ユーザにおいては、図４に示す状態において表示４２を視認できるので、付属品（ヘッドホーン８２等）が収納部１８の裏側即ち収納室２８に収納されていることが認識できる。
【００３６】
本実施形態においては、収納部１８と収納室２８とが載置辺２０で仕切られているので、ヘッドホーンステレオ本体８０とヘッドホーン８２等とが分離され両者の衝突が防止される。従って、本実施形態によれば、両者の衝突が防止されるので、ヘッドホーン８２，リモートコントローラ８４等が保護される。また、本実施形態によれば、載置辺２０で収納部１８と収納室２８とを仕切るように構成したので、ヘッドホーンステレオ本体８０とヘッドホーン８２等とを分離させるための別体のクッション材が不要となり、経済性が向上する。
【００３７】
なお、本実施形態によれば、蓋部１４を開放した状態では収納室２８内にヘッドホーン８２等が収納されているので、蓋部１４の開放時にヘッドホーン８２等が落下することがなく、ヘッドホーンステレオ本体８０の取出し時の取扱いが容易となり使い勝手が良くなる。また、本実施形態によれば、蓋部１４を開放した状態ではヘッドホーン８２等の付属品が外部に現れないので、見た目が良くなり、顧客に良い印象を与えることができる。
【００３８】
図２に示すように、蓋部１４の上部には収納部分３０が形成されており、この収納部分３０は被収納体であるＡＣアダプタ８６または図示しない充電器等を収納する。図４に示すように、収納部分３０は、蓋部１４上部の折返辺３２に形成される切り起こし状の左右一対の切起辺３４と，これらの切起辺３４間に形成されるベース辺３６とで形成される。切起辺３４の間隔は、ＡＣアダプタ８６の幅方向の長さよりも若干だけ長くなるように設定されている。そして、ベース辺３６を蓋部１４（即ち、図１に示す正面辺５２）の裏面に当接させた状態で切起辺３４を蓋部１４の内側に折り返すことにより、収納部分３０が形成される。
【００３９】
収納部分３０の下側即ち折返辺３２の下側には対向面としての表示部３８が形成され、この表示部３８はヘッドホーンステレオ本体８０に関する注意事項や特徴（例えば、特徴のある機能等のセールスポイント）が記載される。そして、図２に示すように、蓋部１４が開放される状態では、収納部１８に収納されるヘッドホーンステレオ本体８０及び収納部分３０に収納されるＡＣアダプタ８６の略全体が立体的に現れ、かつ表示部３８も現れる。
【００４０】
また、収納部分３０の下部即ち表示辺３８の裏側には、略三角形状の収納室４０が形成され、この収納室４０に収納室２８に収納する付属物とは異なる他の付属物（例えば、マイクロホン等）が収納される。
【００４１】
図１に示すように、蓋部１４の右側辺１４Ａは略矩形状となっており、右側辺１４Ａの後下側の先端には係止手段の一部を構成する係止辺１４Ｂ（図２参照）が形成されている。図４に示すように、係止辺１４Ｂに対向する収納部本体１２の右側辺１２Ａには、係止手段の一部を構成する略矩形状の係止孔１２Ｂが形成されている。なお、係止孔１２Ｂは、右側辺１２Ａの後下側でかつ蓋部１４を閉止した状態における係止辺１４Ｂに対応して斜めとなっている。
【００４２】
そして、係止孔１２Ｂに係止辺１４Ｂを挿通させることにより、収納部本体１２に対する蓋部１４の開放が規制される。即ち、蓋部１４を収納部本体１２に係止する係止手段（係止孔１２Ｂ及び係止辺１４Ｂ）は、収納容器１０（蓋部１４及び収納部本体１２）の右側辺１４Ａ，１２Ａに設けられる。
【００４３】
図５及び図６に示すように、収納容器１０を展開すると、１枚のシート状でかつ略矩形となっている。本実施形態においては、展開状態が略矩形となっているので、切断する部分が少なくなる。従って、本実施形態によれば、切断部分が少なくなるので、紙の無駄がなくなり経済的となる。
【００４４】
図１及び図１１に示すように、収納容器１０の外周面には、ヘッドホーンステレオ本体８０の外形や製品番号等が印刷されている。そして、図５に示すように、収納容器１０の展開状態では、裏面にのみ製品番号等の表示が印刷されている。即ち、裏面が印刷面となり、表側は無地のままで何も印刷されていない（図６参照）。
【００４５】
なお、本実施形態では収納容器１０を紙で一体成形したものであるが、本発明の収納容器は合成樹脂等のクリヤー素材で成形しても良い。そして、収納容器１０をクリヤー素材で成形させることにより、ディスプレイ効果が向上する。また、本実施形態で使用される段ボールの厚みは、例えば２ｍｍ程度となっている。
【００４６】
図５に示すように、収納部本体１２は、上述した側辺１２Ａ及び１２Ｄ，下辺１２Ｃ，載置辺２０，一対のストッパ２２の他に、右側辺１２Ａと左側辺１２Ｄとの間に配置される後面辺２３と，この後面辺２３と下辺１２Ｃとの間に配置される下面辺２４と，左側辺１２Ｄの両側に配置される折込辺２５Ａ及び２５Ｂと，右側辺１２Ａとストッパ辺２２との間に配置される折込辺２５Ｃを備える。
【００４７】
また、載置辺２０の先端には折込辺２０Ｂが形成され、載置辺２０の両端にはストッパ辺２２の基辺２２Ａを挿通させるスリット２０Ｃが形成されている。そのため、スリット２０Ｃ間の間隔と，下辺１２Ｃの横幅との長さＬ１は同一となっている。なお、スリット２０Ｃを形成する端部２０Ｄは、ストッパ辺２２の支持辺２２Ｃ及び先端辺２２Ｄを折り込んだ状態で先端辺２２Ｄが端部２０Ｄに当接しないような長さＬ２になっている。
【００４８】
下辺１２Ｃの端部中央には差込辺１２Ｅが突設されており、この差込辺１２Ｅに対応する後面辺２３の下面辺２４側には差込孔２３Ａが形成されている。そして、この差込孔２３Ａに差込辺１２Ｅが差し込まれることにより下面辺２４を折り畳んだ状態での下辺１２Ｃが位置決めされる。なお、折込辺２５Ａ〜２５Ｃの大きさは、同一となっている。
【００４９】
蓋部１４は、上述した右側辺１４Ａ，折返辺３２，切起辺３４，及びベース辺３６の他に、収納部本体１２の一部を構成する左側辺１２Ｄと右側辺１４Ａとの間に配置される正面辺５２，この正面辺５２に連続して形成される天井辺５０，この天井辺５０の先端縁に配置される折返辺５４，及び右側辺１４Ａの先端縁に配置される折込辺５６を備える。
【００５０】
また、折返辺５４の先端両側には差込辺５４Ａが突設されており、差込辺５４Ａに対応する左側辺１２Ｄ及び右側辺１４Ａの折込辺２５Ｂ，５６側には差込孔５８がそれぞれ形成されている。そして、差込孔５８に差込辺５４Ａが差し込まれることにより折返辺５４を折り畳んだ状態での天井辺５０が位置決めされる。なお、切起辺３４及びベース辺３６の先端には位置決め辺６０が形成され、この位置決め辺６０が組み立てられた正面辺５２側の折返辺５４に当接し折返辺３２が立体的に位置決めされる。
【００５１】
次に、本実施形態に係る収納容器１０の組み立て及びヘッドホーンステレオ本体８０等を収納容器１０に収納する収納作業について説明する。まず、図６に示す収納容器１０の展開状態から収納部本体１２を組み立てる手順について説明する。一対のストッパ辺２２及び下辺１２Ｃを下面辺２４側へ折り畳み下辺１２Ｃの差込辺１２Ｅ（図６参照）を差込孔２３Ａに差し込む。この際に、ストッパ辺２２を下辺１２Ｃとは反対側へ直角に折り返すと共に、左右の側辺１２Ａ，１２Ｄを後面辺２３側に折り曲げる。即ち、下辺１２Ｃは、図６に示す折込辺２５Ａ及び２５Ｃを下辺１２Ｃと下面辺２４との間に挟み込んだ状態で下面辺２４側へ折り曲げる。
【００５２】
次に、収納部１８を組み立てる手順について説明する。図７に示す展開状態にある載置辺２０を下面辺２４側に折り曲げる。この際には、折込辺２０Ｂが下辺１２Ｃに対向するように折り曲げる。また、載置辺２０の折曲げ時には、スリット２０Ｃにストッパ辺２２を挿通させる。
【００５３】
そして、先端辺２２Ｄを側辺１２Ａ，１２Ｄに対向するように折り曲げると共に、支持辺２２Ｃを側辺１２Ａ，１２Ｄ側に折り曲げる。支持辺２２Ｃを折り曲げる際に、一対のストッパ２２Ｂは載置面２０Ａに対向即ちストッパ２２Ｂと載置面２０Ａとが水平状態となるように保持される。これにより、図８乃至図１０に示すような収納部１８が形成される。
【００５４】
引き続き、蓋部１４を組み立てる手順について説明する。基部１４を組み立てるには、図９に示す側辺１２Ｄ及び折込辺２５Ｂを正面辺５２及び天井辺５０側へ直角に折り曲げる。そして、図１０に示すように、右側辺１４Ａを正面辺５２側へ直角に折り曲げて折返辺５４を天井辺５０に折り畳むと共に、図９に示す差込辺５４Ａを差込孔５８に差し込む。この際には、図９に示す折込辺５６及び２５Ｂを天井辺５０と折返辺５４との間に挟み込んだ状態で折返辺５４を折り畳む。
【００５５】
最後に、図１０に示す折返辺３２を正面辺５２側に折り曲げると共に、ベース辺３６を折返辺５４に当接させた状態で切起辺３４を蓋部１４の内側に折り返す。これにより、図４に示すような収納部分３０が形成される。即ち、収納部本体１２及び蓋部１４を順次組み立てることにより、収納容器１０が組み立てられる。
【００５６】
なお、収納容器１０の組み立ては、蓋部１４を組み立てた後に収納部本体１２を組み立てても良く、また各辺の折曲げ手順は上記とは異なる手順で折り曲げても良い。即ち、収納容器１０の組み立ては図４に示すように収納部本体１２及び蓋部１４が形成できれば、その折曲げ手順は問わない。
【００５７】
本実施形態においては、収納容器１０が上記のように折曲げ及び折り込むことによって組み立てることができるので、従来のように辺同志を噛み合わせて重ねることにより強固に接合させる必要がなくなり、かつ従来のようにのりを塗布して接合させる必要がなくなる。従って、本実施形態によれば、収納容器１０の組み立てが容易となるので、作業性が向上すると共に製造が安価となり経済性が向上する。
【００５８】
ヘッドホーンステレオ本体８０等を収納容器１０内に収納する収納作業について説明する。まず、図３に示すように、ヘッドホーン８２，リモートコントローラ８４等を収納室２８内に収納するには、載置辺２０を開放した状態（図３の想像線参照）にし、この開放状態でヘッドホーン８２，リモートコントローラ８４等を収納室２８内に収納する。この収納後に、載置辺２０を図３の実線に示す閉止状態にする。
【００５９】
次に、ヘッドホーンステレオ本体８０を収納部１８内に収納するには、図４に示すように、ヘッドホーンステレオ本体８０を収納部１８の上部からスライドさせストッパ２２Ｂと載置面２０Ａとの間に挟み込む。従って、ヘッドホーンステレオ本体８０は、ストッパ２２Ｂによって前側への移動が規制され、図２に示す収納状態で保持される。
【００６０】
さらに、マイクロホン及びＡＣアダプタ８６を収納室４０及び収納部分３０に収納するには、図１０に示すように、折返辺３２を展開状態にし、この展開状態で表示部３８と正面辺５２との間即ち収納室４０が形成される部分にマイクロホン等を入れておき、折返辺３２を正面辺５２側に折り込む。この後、収納室４０の上部に形成される収納部分３０にＡＣアダプタ８６を収納する（図２参照）。
【００６１】
そして、図２に示す蓋部１４をヒンジ部１６を中心にして回転させ閉止させると、係止辺１４Ｂが収納部本体１２の係止孔１２Ｂ（図４参照）に対応するので、係止辺１４Ｂを係止孔１２Ｂに挿通させ蓋部１４を閉止状態に保持させる。
【００６２】
本実施形態では、蓋部１４のロック手段を収納容器１０のサイド側即ち右側面１２Ａ及び１４Ａに設けたので、図１及び図１１に示すように正面辺５２の外装が見易くなる。即ち、本実施形態によれば、正面辺５２には従来のような蓋部を収納部本体に挿入する挿入部分が見えないので、正面辺５２の外装がスッキリして印刷等が見易くなる。
【００６３】
本実施形態では、図２に示すようにヘッドホーンステレオ本体８０を収納部１８に収納しかつＡＣアダプタ８６を収納部分３０に収納した状態において、蓋部１４を閉止した場合のヘッドホーンステレオ本体８０とＡＣアダプタ８６との間隔を両者が当接しないように広くしている。従って、本実施形態によれば、ヘッドホーンステレオ本体８０とＡＣアダプタ８６との当接を回避するための別部材のクッションが不要となるので、構造が簡易となると共に安価となる。
【００６４】
なお、収納部１８のストッパ２２Ｂを収納部分３０に収納されるＡＣアダプタ８６に対向するように構成すると、ヘッドホーンステレオ本体８０とＡＣアダプタ８６との当接が確実に防止される。即ち、この場合には、ストッパ２２Ｂがヘッドホーンステレオ本体８０の係止手段として機能する他にクッションとしても機能するので、両者の当接を防止するためのクッションが不要となる。
【００６５】
また、同様の観点から、蓋部１４を閉止させる直前にヘッドホーンステレオ本体８０とＡＣアダプタ８６との間に例えばヘッドホーンステレオ本体８０に関する情報が記載される書類（即ち、取扱説明書）を介在させても良い。この場合には、収納容器１０に強い衝撃を受けた場合でも、取扱説明書がクッションの役割を果たし、確実に衝撃が緩衝される。
【００６６】
一方、蓋部１４を図２に示すように開放状態にすることよって収納部１８及び収納部分３０が開放され、ＡＣアダプタ８６を収納部分３０から取り出しまたはヘッドホーンステレオ本体８０を収納部１８からスライドさせて取り出す。さらに、収納室４０または２８を開放することよってマイクロホン等またはヘッドホーン８２，リモートコントローラ８４等を取り出す。
【００６７】
本実施形態においては、角柱状の収納容器１０を収納容器１０の左右側面における対角線に略沿って斜状にカットするように形成し、蓋部１４が斜状に形成されたヒンジ部１６を中心にして回転する。そのため、蓋部１４の開放時においては、収納容器１０及び蓋部１４が略楔形に分かれ、図２及び図３に示すように収納部１８の挿入口１８Ａがヘッドホーンステレオ本体８０のスライド方向に沿って開放（即ち、載置面２０Ａに沿った上部が開放）されるので、ヘッドホーンステレオ本体８０の着脱が容易となる。
【００６８】
即ち、本実施形態において、収納部１８に対するヘッドホーンステレオ本体８０の着脱はヘッドホーンステレオ本体８０を載置面２０Ａに沿ってスライドさせることにより行うことができるので、ヘッドホーンステレオ本体８０の着脱が容易となり作業性が向上する。
【００６９】
また、本実施形態においては、蓋部１４の開放時において収納部本体１２及び蓋部１４が略楔形に分かれるように構成したので、蓋部１４の開放が容易となる。即ち、本実施形態では、従来のようにシート状の蓋部分のみを収納部本体から引き出す場合に比べ、蓋部１４の側辺１２Ａ，１２Ｄ，及び１４Ａを把持した状態で収納容器１０を割るという感覚で蓋部１４を開けることができるので、蓋部１４の開放感が良好となる。
【００７０】
なお、本実施形態においては、収納容器１０の裏面のみに印刷（図５参照）が施されており、そして収納容器１０を組み立てると収納容器１０の外装のみならず蓋部１４の開放状態（図２に示す状態）の載置面２０Ａ及び表示面３８等に印刷が現れるようになっている。従って、本実施形態によれば、収納容器１０の裏面のみに印刷を施せば良いので、印刷に要する費用が少なくなり、安価に製造できる。
【００７１】
収納容器１０を店頭等で展示即ちディスプレイさせる場合について説明する。収納容器１０のディスプレイ状態は、図２に示すように蓋部１４を開放状態にすると共にヘッドホーンステレオ本体８０を収納部１８に収納しかつＡＣアダプタ８６を収納部分３０に収納した状態である。
【００７２】
本実施形態では、図４に示すように収納部本体１２及び蓋部１４が開放された状態において、載置面２０Ａ及び表示面３８が側辺１２Ａ，１２Ｄ，及び１４Ａにおける対角線に略沿った斜状に形成されているので、載置面２０Ａ及び表示面３８の表面積が広くなる。
【００７３】
即ち、本実施形態では、従来のように収納部本体に平面的にして形成した収納部の表面積に比べ、収納部本体１２及び蓋部１４の開放状態における載置面２０Ａ及び表示面３８の表面積が従来よりも広くなる。従って、本実施形態によれば、図２に示すように、開放状態における載置面２０Ａ及び表示面３８に例えば表示部３８に記載される注意事項や特徴，ストッパ２２Ｂの表面に記載される文字４３の「ＳＬＩＤＥ  ＵＰ」，下辺１２Ｃの表示４２の「付属品」，及び載置面２０Ａの上端部に記載される製品の番号表示４４等多くの表示が記載できるスペースが確保される。
【００７４】
また、同様に、本実施形態では、載置面２０Ａ及び表示面３８の表面積が従来よりも広くなるので、その分「文字」等の表示を大きくでき、収納容器１０のディスプレイ状態において例えばセールスポイント等が認識し易くなる。即ち、本実施形態においては、ディスプレイ性が向上するので、製品（本実施形態ではヘッドホーンステレオ本体８０）の特徴を購買者が理解し納得して購入する。
【００７５】
また、本実施形態では、蓋部１４の開放時において、収納部１８に収納されるヘッドホーンステレオ本体８０及び収納部分３０に収納されるＡＣアダプタ８６の略全体が立体的に認識される。即ち、本実施形態では、従来のようにヘッドホーンステレオ本体が仕切り板の上部に平面的に配置されている場合に比べ、図２に示すようにヘッドホーンステレオ本体８０及びＡＣアダプタ８６が立体的に認識できるので、ヘッドホーンステレオ本体８０等を収納部１８から取り出さなくても、容易に立体感が認識できる。
【００７６】
従って、本実施形態によれば、ヘッドホーンステレオ本体８０の外観等が見易くなるので、店頭等のディスプレイ時に他の製品に比べ目立ち、販売が促進する等のディスプレイ効果が十分に発揮される。従って、本実施形態によれば、ブランドイメージが良くなり、顧客に良い印象を与えることができるので、展示品のヘッドホーンステレオ本体８０を見る者に高級感を与えることができる。
【００７７】
さらに、本実施形態においては、収納容器１０を店頭等で展示する他に、ユーザ自身が使用する場合でも、ヘッドホーンステレオ本体８０の収納スタンドとして利用できる。即ち、収納容器１０は一般的に販売時のみという意識があり、その開封後はゴミとして使い捨てていたが、本実施形態では収納容器１０を収納スタンドとして有効利用できる。
【００７８】
従って、本実施形態によれば、収納容器１０をゴミとして使い捨てることなく、長い間利用できるので、資源の無駄が防止される。なお、収納容器１０を収納スタンドとして利用する際には、ＡＣアダプタ８６等の付属品を収納容器１０内に一括（一組と）して収納して置くことができるので、上記付属品の紛失が防止される。
【００７９】
なお、上記実施形態では、カセットプレーヤを収納する収納容器を例として説明したが、他の製品例えばミニディスクプレーヤ等を収納する収納容器に本発明を用いても良い。この場合には、収納容器を他の製品のサイズに対応するサイズに任意に変更して使用する。また、請求項１に係る収納容器の外形は、円柱状等をも含むものである。
【００８０】
【発明の効果】
以上説明したように本発明によれば、収納容器を斜状に形成される斜面が開放されるように斜面の端縁を中心に回転して分割できるように構成すると共に、斜面に被収納物を保持する収納部を設けたので、被収納物の着脱が容易となる。
【００８１】
また、本発明によれば、収納部または蓋部は収納容器の展開状態から収納部または蓋部を構成する辺同志を折り曲げることにより組み立てることができるので、従来のように辺同志を噛み合わせて重ねることにより強固に接合させる必要がなくなり、かつ従来のようにのりを塗布して接合させる必要がなくなる。従って、本発明によれば、収納容器の組み立てが容易となるので、作業性が向上すると共に製造が安価となり経済性が向上する。
【００８２】
さらに、本発明によれば、蓋部の開放時において、収納部に収納される被収納物の略全体が立体的に認識されるので、従来のように被収納物が仕切り板の上部に平面的に配置されている場合に比べ、被収納物が立体的に認識され、ディスプレイ性が向上する。また、蓋部の閉止時における収納部分に収納される被収納体に対向するようにストッパが形成されるので、被収容物と被収容体との当接が確実に防止される。即ち、この場合には、ストッパが被収納物の係止手段として機能する他にクッションとしても機能するので、両者の当接を防止するためのクッションが不要となる。
【図面の簡単な説明】
【図１】本発明の一実施形態に係る収納容器を正面側から見た状態の全体斜視図である。
【図２】図１に示す収納容器の蓋部を開放させた状態の全体斜視図である。
【図３】図２の３−３線断面図である。
【図４】図４に示す収納容器からヘッドホーンステレオ本体及びＡＣアダプタを取出した状態の全体斜視図である。
【図５】図１に示す収納容器の表面側の展開図である。
【図６】図５に示す収納容器の裏面側の展開図である。
【図７】図６に示す収納容器の展開状態から収納部本体を形成する際の折り畳み状態の斜視図である。
【図８】図７に示す折り畳み状態から収納部本体を形成した状態の斜視図である。
【図９】図８に示す状態から蓋部を形成する際の折り畳み状態の斜視図である。
【図１０】図９に示す状態から蓋部をさらに形成する際の折り畳み状態の斜視図である。
【図１１】図１に示す収納容器を後側に倒した状態の全体斜視図である。
【符号の説明】
１０            収納容器
１２            収納部本体
１２Ａ          収納部本体の右側辺
１２Ｂ          収納部本体の係止孔（係止手段）
１４            蓋部
１４Ａ          蓋部の右側辺
１４Ｂ          蓋部の係止辺（係止手段）
１８            収納部
１８Ａ          収納部の挿入口
２０            載置辺
２０Ａ          載置面
２２            ストッパ辺
２２Ｂ          ストッパ
２８            収納室
３０            収納部分
３８            表示部（対向面）
４０            収納室
８０            ヘッドホーンステレオ本体（被収納物）
８２            ヘッドホーン（付属物）
８２            リモートコントローラ（付属物）
８６            ＡＣアダプタ（被収納体）
【図１】
0004300606.tif 000002
【図２】
0004300606.tif 000003
【図３】
0004300606.tif 000004
【図４】
0004300606.tif 000005
【図５】
0004300606.tif 000006
【図６】
0004300606.tif 000007
【図７】
0004300606.tif 000008
【図８】
0004300606.tif 000009
【図９】
0004300606.tif 000010
【図１０】
0004300606.tif 000011
【図１１】
0004300606.tif 000012